(57)【要約】      （修正有）【課題】ＮＣ工作機械と、所望の加工プログラムを作成し、プログラムをメモリとして格納してなるパソコンとを、適宜なネットワークで接続してなるＮＣ工作装置において、加工プログラムの作成を容易にする。【解決手段】パソコンに、部品加工部の特定の各動作を抽象化して動作用アイコンとしたアイコン表示領域部２１と、部品加工部の動作手順並びに動作パラメータを表で表示する動作手順表領域部２２の表示画面を備えさせ、アイコン表示領域部２１で選択したアイコンで指示された動作が、動作手順表領域部の所定箇所（動作指定枠２２２）で表示されると同時に、当該動作において決定すべき必要とするパラメータが順次要求表示され、当該要求事項を順次入力することを繰り返して加工プログラムを作成する手段を組み込んでなる。【選択図】図３
2006338078.tif 000002
【特許請求の範囲】
【請求項１】
所定の動作機構及び加工機構を有して、数値制御による部品加工を実行する部品加工部、及び所定の加工プログラムに従って部品加工部の動作を制御する数値制御部、及び作業者からの指示を入力するための操作パネル部を備えたＮＣ工作機械と、所望の加工プログラムを作成し、前記プログラムをメモリとして格納してなるパソコンとを、適宜なネットワークで接続してなるＮＣ工作装置において、前記パソコンに、部品加工部の特定の各動作を抽象化して動作用アイコンとしたアイコン表示領域部と、部品加工部の動作手順並びに動作パラメータを表で表示する動作手順表領域部の表示画面を備えさせ、アイコン表示領域部で選択したアイコンで指示された動作が、動作手順表領域部の所定箇所で表示されると同時に、当該動作において決定すべき必要とするパラメータが順次要求表示され、当該要求事項を順次入力することを繰り返して加工プログラムを作成する手段を組み込んでなることを特徴とするＮＣ工作装置。
【請求項２】
動作手順表領域部の表において、動作用アイコンを選択すると、同アイコンを所定箇所に表示すると同時に、当該動作の説明を表示する欄を設けてなる請求項１記載のＮＣ工作装置。
【発明の詳細な説明】
【技術分野】
【０００１】
本発明は、数値制御で部品加工を行なうＮＣ（数値制御）工作機械において、加工プログラムの作成プログラムに特徴を有するＮＣ工作装置に関するものである。
【背景技術】
【０００２】
ＮＣ工作機械は、周知のとおり加工プログラムに基づいて所定の加工ツールを使用して被加工物と加工ツールとの相対位置、加工内容等を高精度かつ高速に制御して所定の加工を行うもので、数値制御による部品加工を実行する部品加工部、所定の加工プログラムに従って部品加工部の動作を制御する数値制御部、作業者からの指示を入力するための操作パネル部を備えた機械であり、全体としては前記機械と、所望の加工プログラムを作成し、前記プログラムをメモリとして格納してなるパソコンとを適宜なネットワークで接続している装置である（特許文献１，２）。
【０００３】
【特許文献１】特開平１０−２４０３４０号公報。
【特許文献２】特開２０００−３１５１０４号公報。
【発明の開示】
【発明が解決しようとする課題】
【０００４】
前記のＮＣ工作装置における加工プログラム（加工手順）は、所定の記号（アルファベット）と数字によって表示されるものである。例えば「Ｎ０００１：Ｇ００，Ｘ１００，Ｙ１５０，Ｆ０．２」「Ｎ０００２：Ｍ４１，Ｓ２００」「Ｎ０００３：Ｍ０３」「Ｎ０００４：Ｍ０８」「Ｎ０００５：Ｇ００，Ｚ１５，Ｆ０．５」の加工手順プログラムは、「１．被加工物を横１００ｍｍ、縦１５０ｍｍの位置に速度０．２ｍｍ／ｒｅｖの速度で移動する」「２．ドリルの回転数を２００ｒｐｍに設定する」「３．ドリルを時計方向に回転させる」「４．切削油を出す」「５．ドリルを０５ｍｍ／ｒｅｖの速度で基準点から１５ｍｍまで下降させる」を意味する。
【０００５】
このように加工プログラムは、表示形式が煩雑であり、このため加工プログラムを作成すること自体も面倒である。特に初心者には分かり難いし、所望の加工プログラムの作成が困難であるし、また熟練者でも当該プログラムから、直ちにどのような部品加工であるかは容易に想像できない。
【０００６】
そこで本発明は、初心者でも直ぐに加工プログラムを作成できる入力形式を備えた加工プログラム作成手段を組み込んだＮＣ工作装置を提案したものである。
【課題を解決するための手段】
【０００７】
本発明に係るＮＣ工作装置は、所定の動作機構及び加工機構を有して、数値制御による部品加工を実行する部品加工部、及び所定の加工プログラムに従って部品加工部の動作を制御する数値制御部、及び作業者からの指示を入力するための操作パネル部を備えたＮＣ工作機械と、所望の加工プログラムを作成し、前記プログラムをメモリとして格納してなるパソコンとを、適宜なネットワークで接続してなるＮＣ工作装置において、前記パソコンに、部品加工部の特定の各動作を抽象化して動作用アイコンとしたアイコン表示領域部と、部品加工部の動作手順並びに動作パラメータを表で表示する動作手順表領域部の表示画面を備えさせ、アイコン表示領域部で選択したアイコンで指示された動作が、動作手順表領域部の所定箇所で表示されとる同時に、当該動作において決定すべき必要とするパラメータが順次要求表示され、当該要求事項を順次入力することを繰り返して加工プログラムを作成する手段を組み込んでなることを特徴とするものである。
【０００８】
而してパソコンにおいて、所定の画面表示を見ながら、動作アイコンの選択、要求表示されたパラメータの入力を順次行うことで、所望の加工プログラムが作成され、当該加工プログラムに基づいて工作機械を所定の数値制御のもとで動作させて、所望の部品加工を行うものである。
【発明の効果】
【０００９】
本発明は上記構成を採用したものであるから、加工プログラムの作成が、動作アイコンの選択、要求パラメータの入力によって簡単に作成できると共に、動作内容を容易に知ることができ、初心者でも簡単に加工プログラムの作成ができ、また作成済みの加工プログラムの内容も簡単に確認できるもので、ＮＣ工作装置をより簡単に利用できるようにしたものである。
【発明を実施するための最良の形態】
【００１０】
次に本発明の実施の形態について説明する。ＮＣ工作装置は、従前と同様にＮＣ工作機械１と、加工プログラムの作成・格納をなすパソコン２とで構成されているものであり、ＮＣ工作機械１は、外観的に、所定の動作機構（非加工物とドリル等の加工部の相対的位置関係を設定する）及び加工機構（ドリル、フライスの切削加工部等）を有して、数値制御による部品加工を実行する部品加工部、及び所定の加工プログラムに従って部品加工部の動作を制御する数値制御部を備えた本体１１と、作業者からの指示を入力するための操作パネル部１２を備えている。
【００１１】
またパソコン２は、前記のＮＣ工作機械１と適宜なネットワークで接続してなるものである。
【００１２】
本発明の特徴は加工プログラムの作成手段にある。加工プログラムの作成に際しては、パソコンの表示画面に、アイコン表示領域部２１と、表形式の動作手順表領域部２２を表示しているものである。
【００１３】
アイコン表示領域部２１には、図２に例示したとおり、被加工部と加工部材との相対的位置を決定する３次元座標系（原点復帰、Ｘ軸移動、Ｙ軸移動、Ｚ軸移動）、円弧補間、直線補間、スピンドル開始・停止、切削油吐出・停止、タイマー設定、カウンター設置、条件分岐、無条件ループ、演算処理、内部データ操作処理、作業終了等の部品加工部の動作を、一見して認識できるように抽象化した動作アイコンを表示設定する。
【００１４】
動作手順表領域部２２は、表形式で表示されているもので、ラベル枠２２１、動作指定枠２２２、パラメータ枠２２３，２２４，２２５、動作説明枠２２６が設けられている。
【００１５】
ラベル枠２２１は加工プログラム作成者が記載（文字入力）する覚えであり、動作指定枠２２２は前記の動作アイコンを入力表示するものであり、パラメータ枠２２３，２２４，２２５は、前記動作アイコンで示される動作の詳細設定を書き込む欄であり、動作説明枠２２６は、動作アイコンの入力と同時に当該動作を表示するものである。
【００１６】
具体的に加工プログラムの作成について説明すると、スタートとして「原点復帰」のアイコンを選択すると、動作指定枠２２２に「原点復帰のアイコン」が表示されると同時に動作説明枠２２６に「原点復帰」の文字が表示される。
【００１７】
そして次段の動作指定枠２２２が待機状態となり、アイコン表示領域部２１の動作アイコンをクリックすると、当該動作アイコンが動作指定枠２２２に表示される。例えば「Ｘ軸移動」のアイコンを選択すると、動作指定枠２２２に「Ｘ軸移動のアイコン」が表示されると同時に動作説明枠２２６に「Ｘ軸移動」の文字が表示される。同時にパラメータとして入力が必要とする事項「加工座標が絶対値か相対値」の選択入力が指示され（図４）、さらに目標座標位置の入力指示（図５）、移動速度の入力指示（図６）のように、パラメータとして必要な事項を順次指示表示し、加工プログラム作成者は、順次必要事項を入力していく。
【００１８】
このように被加工物への加工作業を順次行うプログラムを作成し、所定のプログラムの作成を終了すると（図８）、当該加工プログラムは、適宜な名称を付して、パソコンにデータとして格納しておくものである。
【００１９】
また前記の図示した動作アイコンに伴なう指示表示の参照例として図９，１０に例示した。
【００２０】
以上の通り本発明は、ＮＣ工作機械の部品加工部の特定の各動作を抽象化して動作用アイコンとしたアイコン表示領域部と、部品加工部の動作手順並びに動作パラメータを表で表示する動作手順表領域部の表示画面を備え、設定すべき加工作業をアイコン表示領域部で選択し、選択した動作アイコンを動作手順表領域部の所定箇所で表示し、同時に決定すべき必要とするパラメータが順次要求表示され、当該要求事項を順次入力することを繰り返して加工プログラムを作成するようにした加工プログラム作成用プログラムをパソコンに搭載したＮＣ工作装置で、加工プログラムの作成を容易にし、ＮＣ工作装置をより使い易いものとしたものである。
【００２１】
尚動作アイコンの表示形態は任意であり、図示した例に特定されるものではないし、また動作アイコンの種別も実施形態に特定されるものでも無く、その他加工作業にふさわしい動作アイコンを設定すればよいものである。
【図面の簡単な説明】
【００２２】
【図１】本発明の実施形態の装置全体の説明図。
【図２】同動作アイコンの説明図。
【図３】同パソコン画面表示の説明図。
【図４】同プログラム作成途中のパソコン画面（１）。
【図５】同プログラム作成途中のパソコン画面（２）。
【図６】同プログラム作成途中のパソコン画面（３）。
【図７】同プログラム作成途中のパソコン画面（４）。
【図８】同プログラム作成終了時のパソコン画面（５）。
【図９】同プログラム作成時の他のパラメータに入力指示画面（１）。
【図１０】同プログラム作成時の他のパラメータに入力指示画面（２）。
【符号の説明】
【００２３】
１        ＮＣ工作機械
１１      本体
１２      操作パネル部
２        パソコン
２１      アイコン表示領域部
２２      動作手順表領域部
２２１      ラベル枠
２２２      動作指定枠
２２３，２２４，２２５  パラメータ枠
２２６      動作説明枠
【図１】
2006338078.tif 000003
【図２】
2006338078.tif 000004
【図３】
2006338078.tif 000005
【図４】
2006338078.tif 000006
【図５】
2006338078.tif 000007
【図６】
2006338078.tif 000008
【図７】
2006338078.tif 000009
【図８】
2006338078.tif 000010
【図９】
2006338078.tif 000011
【図１０】
2006338078.tif 000012